(57)【要約】【課題】樹脂板に彫刻を施して塗料を充填して製作する記入板は、熟練，高コストを要する。【解決手段】図示しない支柱等に結合されると共に複数の発光ダイオード２ａを有するＬＥＤユニット２に、色フィルタ３、樹脂板４ａを介して表示シート６を設け、レンズ５ａを有するレンズ枠５を取り付けて表示灯１が構成され、従来の記入板に代えて、透光性を有する樹脂板４ａと、印刷することにより製作される表示シート６とが設けられている。【選択図】　図１
2004070183.tif 000002
【特許請求の範囲】
【請求項１】
光を透過させて表示内容を表示する表示シートにおいて、シートに文字等を印刷して構成したことを特徴とする表示シート。
【請求項２】
一定の大きさのシートの裏面に粘着剤を設け、所定の形状に予め切り離すか又は所定の形状となるように切断線を入れた前記シートを、前記一定の大きさのシートと略同じ大きさの台紙に貼り付け、前記台紙と一体の前記シートの表面に印刷を施したことを特徴とする表示シートの製作方法。
【請求項３】
一定の大きさのシートを、所定の形状に予め切り離すか又は所定の形状となるように切断線を入れ、前記シートを前記一定の大きさの表示シートと略同じ大きさの台紙であって粘着剤を設けたものに貼り付け、前記台紙と一体の前記シートの表面に印刷を施したことを特徴とする表示シートの製作方法。
【発明の詳細な説明】
【０００１】
【発明の属する技術分野】
本発明は、表示シートおよび表示シートの製作方法に関し、表示シートが容易に製作できるようにしたものである。
【０００２】
【従来の技術】
配電盤，制御盤等には、現在の状態あるいは故障中であること等を表示するために、表示器としての表示灯が設けられている。従来の表示灯の構成を図４に示す。
【０００３】
表示灯１は、図示しない支柱等に結合されるＬＥＤユニット２に、色フィルタ３、記入板４を介してレンズ枠５を取り付けたものである。ＬＥＤユニット２には複数の発光ダイオード２ａが設けられている。レンズ枠５にはレンズ５ａが取り付けられている。
【０００４】
記入板４は、表示したい内容を記入したものであり、光を透過する樹脂板に、彫刻機械で文字に沿って溝を彫刻し、彫った溝に塗料としての油性インキを充填し、溝に充填後に溝からはみ出た塗料を、揮発性溶剤を染み込ませた布で拭き取ることで文字を見やすくしたものである。
【０００５】
斯かる表示灯１では、発光ダイオード２から発せられる光が色フィルタ３で着色され、更に記入板４を通過することにより、レンズ５ａに文字と色とが表示される。
【０００６】
【発明が解決しようとする課題】
ところが、彫刻機械で樹脂板を１枚ずつ彫刻するため、熟練技術を必要とするだけでなく、時間がかかり、かつコスト高になる。また、彫刻機械の占有面積が必要になるだけでなく、樹脂の切削屑が出て材料の無駄と切削屑を処理する労力の無駄がある。更に、揮発性溶剤を使用するために作業環境が悪くなる。
【０００７】
そこで本発明は、斯かる課題を解決した表示シートおよび表示シートの製作方法を提供することを目的とする。
【０００８】
【課題を解決するための手段】
斯かる目的を達成するための請求項１に係る表示シートの構成は、光を透過させて表示内容を表示する表示シートにおいて、シートに文字等を印刷して構成したことを特徴とする。
【０００９】
請求項２に係る表示シートの制作方法の構成は、一定の大きさのシートの裏面に粘着剤を設け、所定の形状に予め切り離すか又は所定の形状となるように切断線を入れた前記シートを、前記一定の大きさのシートと略同じ大きさの台紙に貼り付け、前記台紙と一体の前記シートの表面に印刷を施したことを特徴とする。
【００１０】
請求項３に係る表示シートの制作方法の構成は、一定の大きさのシートを、所定の形状に予め切り離すか又は所定の形状となるように切断線を入れ、前記シートを前記一定の大きさの表示シートと略同じ大きさの台紙であって粘着剤を設けたものに貼り付け、前記台紙と一体の前記シートの表面に印刷を施したことを特徴とする。
【００１１】
【発明の実施の形態】
以下、本発明による表示シートおよび表示シートの製作方法の実施の形態を説明する。
【００１２】
（ａ）実施の形態１
まず、実施の形態１を図１に示す。
【００１３】
図１に示すように、従来の記入板に代えて透光性を有する樹脂板４ａが配置され、樹脂板４ａとレンズ５ａとの間に、表示シート６が設けられる。この表示シート６は、厚さが５０〜１００μの透明シートにプリンタで文字等を印刷して所定の大きさにカットしたものであり、従来の記入板のように樹脂板を彫刻したものとは異なって、単にシートに印刷するだけで容易に製作することができる。
【００１４】
表示シート６を得るには、Ａ４，Ｂ４等の定型サイズの透明シートを準備し、パソコン等のディスプレイに文字を入力し、プリンタを用いて印刷する。その後に、Ａ４，Ｂ４等の透明シートにおける印刷した部分を、表示器の内部の大きさに合わせてカットし、表示シート６を得る。
【００１５】
図１の表示灯１においては、発光ダイオード２ａの発する白色光が色フィルタ３を通過することによって特定の有色光となり、更に当該有色光が透明の樹脂板４ａおよび表示シート６を通過することによって、レンズ５ａ上に有色光と文字等が映し出される。
【００１６】
この色フィルタ３を省略しあるいは透明のフィルタに交換し、発光ダイオード２ａとして有色光を発するものを用いるようにすることもできる。このときの有色光の色は、任意のものを選択することができる。
【００１７】
（ｂ）実施の形態２
次に、実施の形態２を図２に示す。この実施の形態は、実施の形態１で示した表示シートを製作するための、表示シートの製作方法に関するものであり、材料の無駄を省いて効率よく製作できるようにしたものである。
【００１８】
実施の形態１で示した表示シートの製作方法では、表示器の大きさと対応したピッチで透明シートに文字等を印刷し、文字等の部分を手作業でカットすることにより、１枚の透明シートから複数枚の表示シートを製作できるが、製作する表示シートの枚数とは無関係に１枚のシートを使うため、１枚の透明シート当りの歩留まりが低くなる可能性がある。また、１枚の透明シートを表示器の大きさに対応させてカットする必要があるが、表示器の内部での遊びを最小限に押さえるために非常にシビアな精度を要し、手作業では限界がある。
【００１９】
一方、予め印刷がされていてかつカットされた状態の表示シートを得るには、市販のシールのようにして複数の表示シートを台紙上に貼着しておくことが必要になるが、このような表示シートを台紙から剥がしてそのまま使用すると、粘着剤の付着した裏面が樹脂板４ａに貼り付き、取り扱いが困難である。
【００２０】
このため、本発明では、以下のようにして表示シートを製作する。図２に示すように、１枚の透明シート７の下面に、透光性のある粘着剤をごく微量塗布してシール状にしする。次に、表示器１の寸法に合わせて、透明シート７に予め切断線７ａを精度よく設けて台紙８に貼着し、ロール状にする等して透明シート７の上面にプリンタで印刷する。
【００２１】
すると、図３のように、文字「Ａ」を印刷した透明シート７と台紙８とで表示シート群９が構成される。印刷された表示シート群９から切断線７に沿って１枚の表示シート６を剥がし、表示器１の樹脂板４ａとレンズ５ａとの間に挟む。このとき、樹脂板４ａの表示シート側が鏡面加工されていると、表示シート６が樹脂板４ａに張り付いた状態で両者間に気泡が残り、美観を損ねる。このため、樹脂板４ａの表示シート側に、表示シート６の貼着面が張り付かないように、シボ加工（凹凸の加工）を施こすのが望ましい。
【００２２】
表示シート６は、表示器の大きさに合わせて予めカットされているので、手作業でカットする必要がなく、しかも寸法精度が高い。透明シートの幅方向および長さ方向に、表示シート６を任意の枚数だけ配置できることになり、歩留まりが高い。
【００２３】
（ｃ）実施の形態３
次に、実施の形態３を図３に示す。この実施の形態は、実施の形態２とは逆で、台紙に貼着剤を設け、表示シートには貼着剤が載らないようにしたものである。この場合は、樹脂板４ａの表示シート側へのシボ加工は不要となる。
【００２４】
その他の構成，作用は実施の形態２と同じなので、説明を省略する。
【００２５】
なお、実施の形態２，３は透明シートに切断線を入れて台紙に貼り付けたものであるが、表示シートどうしを切り離して台紙に貼り付けてもよい。
【００２６】
【発明の効果】
以上の説明からわかるように、請求項１に係る表示シートによれば、シートに文字等を印刷して構成したので、シートとプリンタとのみがあれば製作できることになり、従来の彫刻機械を扱う場合のような熟練技術が不要であり、大きな設備は不要で、大きなエネルギーも不要である。また、切削屑が出ないので、材料の無駄と切削屑を処理する労力の無駄がない。更に、揮発性溶剤を使用しないので、作業環境も良好である。
【００２７】
請求項２，３に係る表示シートの製作方法によれば、１枚のシートに任意の数だけ印刷して表示シートを製作できるので、歩留まりが高い。また、表示器の大きさに合わせて予めカットされるので、手作業でカットするのに比べて寸法精度が高い。
【図面の簡単な説明】
【図１】本発明による表示シートの実施の形態１に係り、表示シートを用いた表示灯の分解斜視図。
【図２】本発明による表示シートの製作方法の実施の形態２に係り、透明シートに切断線を入れて台紙に貼着し、ロール状にした状態の斜視図。
【図３】本発明による表示シートの製作方法の実施の形態２に係り、表示シートの平面図。
【図４】従来の表示灯の分解斜視図。
【符号の説明】
６…表示シート
７…透明シート
７ａ…切断線
８…台紙
９…表示シート群
【図１】
2004070183.tif 000003
【図２】
2004070183.tif 000004
【図３】
2004070183.tif 000005
【図４】
2004070183.tif 000006